(57)【要約】【課題】  切断した毛が外部に飛散してこぼれ落ちることを防止する。【解決手段】  本体１の一端部に互いに摺接する櫛状の固定刃２及び可動刃３を組み合わせた刃ブロック４を突出して設け、複数のくし部２６を有するコーム５を刃ブロック４に被せたヘアカッターＡである。コーム５のくし部２６に刃ブロック４で切断した毛がコーム５の外側に飛散するのを防止するための毛返し部２６ａを設ける。隣り合うくし部２６の毛返し部２６ａが内外方向に位置をずらして配置する。【選択図】      図１
2005192616.tif 000002
【特許請求の範囲】
【請求項１】
櫛状の固定刃に対して櫛状の可動刃を摺接するように組み合わせた刃ブロックを本体の一端部に突出して設け、複数のくし部を有するコームを刃ブロックに被せたヘアカッターにおいて、コームのくし部に刃ブロックで切断した毛がコームの外側に飛散するのを防止するための毛返し部を設け、隣り合うくし部の毛返し部が内外方向に位置をずらして配置してあることを特徴とするヘアカッター。
【請求項２】
毛返し部の外側を向いた面を毛を導入するための毛導入用傾斜面として成ることを特徴とする請求項１記載のヘアカッター。
【請求項３】
毛導入用傾斜面が凹曲面となっていることを特徴とする請求項２記載のヘアカッター。
【請求項４】
毛返し部の外刃ブロックに面する側の面を毛返し部の突出基部側程外刃ブロックから離れるように傾斜した毛返し用傾斜面として成ることを特徴とする請求項１乃至請求項３のいずれかに記載のヘアカッター。
【請求項５】
本体の一端部における刃ブロックの突出方向と同方向のくし部の先端部において先端側に行く程毛返し部の巾が狭くなるように構成して成ることを特徴とする請求項１乃至請求項４のいずれかに記載のヘアカッター。
【請求項６】
本体の一端部における刃ブロックの突出方向と同方向のくし部の最先端に毛起こし用突部を設けて成ることを特徴とする請求項１乃至請求項５のいずれかに記載のヘアカッター。
【請求項７】
毛返し部が変形自在な弾性部材により構成してあることを特徴とする請求項１乃至請求項６のいずれかに記載のヘアカッター。
【請求項８】
コームを、コーム枠体と、コーム枠体とは別体の複数のくし部よりなるくし部ブロックとで構成し、上記くし部をコーム枠体に固着手段により固着して構成してあることを特徴とする請求項１乃至請求項７のいずれかに記載のヘアカッター。
【請求項９】
本体に切断した毛を収納するための収納部を設けて成ることを特徴とする請求項１乃至請求項８のいずれかに記載のヘアカッター。
【発明の詳細な説明】
【技術分野】
【０００１】
本発明は、ヘアカッター、特に、刃ブロックに被せたコームのくし部間から毛髪や髭を導入して互いに摺接する櫛状の固定刃及び可動刃によって毛髪や髭のカットを行うものにおいて、切断した毛が外部に飛散しないようにするための技術に関するものである。
【背景技術】
【０００２】
従来からヘアカッターにおいて、刈り高さ調整の構造として特許文献１が知られている。この特許文献１に示された従来例は、本体の一端部に互いに摺接する櫛状の固定刃及び可動刃を組み合わせた刃ブロックを突出して設け、複数のくし部を有する刈り高さ調整用のコームを刃ブロックに刃ブロックの突出方向に移動自在に被せたもので、本体に回転自在且つ軸方向に移動自在に被嵌した筒状の調整素子を回転操作することで、櫛状をした刈り高さ調整用のコームを刃ブロックの突出方向に移動自在としてある。
【０００３】
そして、刈り高さ調整用のコームのくし部とくし部との間の毛導入用隙間から導入した毛髪や髭を櫛状の固定刃に導入して可動刃で切断することで目的とする刈り高さに毛髪や髭を切断するようになっている。
【０００４】
ところが、上記のような従来例にあっては、切断した毛がコームのくし部とくし部との間の毛導入用隙間から外部に飛び出して、切断した毛が周囲に飛散してこぼれ落ちるという問題があった。
【特許文献１】特開平１−２１４３８８号公報
【発明の開示】
【発明が解決しようとする課題】
【０００５】
本発明は上記の従来の問題点に鑑みて発明したものであって、簡単な構造で、良好な毛の導入を図りながら、切断した毛が外部に飛散してこぼれ落ちることを防止できるヘアカッターを提供することを課題とするものである。
【課題を解決するための手段】
【０００６】
上記課題を解決するために本発明に係るヘアカッターは、櫛状の固定刃２に対して櫛状の可動刃３を摺接するように組み合わせた刃ブロック４を本体１の一端部に突出して設け、複数のくし部２６を有するコーム５を刃ブロック４に被せたヘアカッターＡにおいて、コーム５のくし部２６に刃ブロック４で切断した毛がコーム５の外側に飛散するのを防止するための毛返し部２６ａを設け、隣り合うくし部２６の毛返し部２６ａが内外方向に位置をずらして配置してあることを特徴とするものである。
【０００７】
このような構成とすることで、くし部２６間の毛導入用隙間から導入された毛を固定刃２と可動刃３とで切断するのであるが、くし部２６に設けた毛返し部２６ａにより切断された毛が外部に飛散してこぼれ落ちるのが防止できる。特に、隣り合うくし部２６の毛返し部２６ａが内外方向に位置をずらして配置してあるので、毛導入用隙間の巾を導入に支障がないように確保しながら、内外方向に位置がずれた毛返し部２６ａにより毛が外部にこぼれ落ちるのを防止できるものである。
【０００８】
また、毛返し部２６ａの外側を向いた面を毛を導入するための毛導入用傾斜面２６ｂとすることが好ましい。
【０００９】
このような構成とすることで、毛返し部２６ａを設けたといえども毛導入時にくし部２６との摩擦抵抗が減少し、導入性が向上することになる。
【００１０】
また、毛導入用傾斜面２６ｂが凹曲面となっていることが好ましい。このような構成とすることで、毛導入用傾斜面２６ｂの外面側における毛の導入のための体積が増えることになり、導入性が良くなる。
【００１１】
また、毛返し部２６ａの刃ブロック４に面する側の面を毛返し部２６ａの突出基部側程刃ブロック４から離れるように傾斜した毛返し用傾斜面２６ｃとすることが好ましい。
【００１２】
このような構成とすることで、毛返し部２６ａに当たった毛が毛返し部２６ａの突出基部側にガイドされ、毛返し部２６ａの突出先端を越えて外部に飛散し難く、よりいっそう毛が外部にこぼれ落ちるのを防止できる。
【００１３】
また、本体１の一端部における刃ブロック４の突出方向と同方向のくし部２６の先端部において先端側に行く程毛返し部２６ａの巾が狭くなるように構成することが好ましい。
【００１４】
このような構成とすることで、本体１の一端部における刃ブロック４の突出方向と同方向のくし部２６の先端部間からの一度に導入する毛量が増加し、毛の導入性が向上するものである。
【００１５】
また、本体１の一端部における刃ブロック４の突出方向と同方向のくし部２６の最先端に毛起こし用突部２６ｄを設けて成ることを特徴とすることが好ましい。
【００１６】
このような構成とすることで、毛起こし用突部２６ｄにより起毛効果を得ることができる。
【００１７】
また、毛返し部２６ａが変形自在な弾性部材により構成してあることが好ましい。
【００１８】
このような構成とすることで、隣接するくし部２６間の毛導入用隙間から導入された毛が弾性部材よりなる毛返し部２６ａをめくるように変形させて通過できるものであり、これにより隣接するくし部２６の毛返し部２６ａを外から見て互いに一部が重なるように配置しても毛の導入ができ、これにより、より確実に毛が外部にこぼれ落ちるのを防止できる。
【００１９】
また、コーム５を、コーム枠体１７と、コーム枠体１７とは別体の複数のくし部２６を有するくし部ブロック１６とで構成し、上記くし部２６をコーム枠体１７に固着手段により固着して構成してあることが好ましい。
【００２０】
隣接するくし部２６の毛返し部２６ａを内外方向にずらす構成としたものであるにもかかわらず、コーム枠体１７と、複数のくし部２６を有するくし部ブロック１６とを別体とすることで、各々別々に成形したものを固着手段で固着してコーム５を構成でき、これにより、毛返し部２６ａを有するくし部２６を成形するための金型を簡略化することができ、簡単な構造で製造できるものである。
【００２１】
また、本体１に切断した毛を収納するための収納部１ａを設けることが好ましい。
【００２２】
このような構成とすることで、切断後の毛が毛返し部２６ａに当たって、収納部１ａに蓄積されることになり、毛の収納性が良くなる。
【発明の効果】
【００２３】
本発明は、隣り合うくし部の毛返し部が内外方向に位置をずらすという簡単な構造で、良好な毛の導入を図りながら、内外方向に位置がずれた毛返し部により切断した毛が外部に飛散してこぼれ落ちることを防止できるという効果がある。
【発明を実施するための最良の形態】
【００２４】
以下、本発明を添付図面に示す実施形態に基いて説明する。
【００２５】
ヘアカッターＡは一端部から他端部にかけて長くなった略筒状をした本体１の長手方向の一端部に互いに摺接する櫛状の固定刃２及び可動刃３を組み合わせた刃ブロック４を突設し、この刃ブロック４に複数のくし部２６を有する刈高さ調整用のコーム５を刃ブロック４の突出方向に移動自在に被せて構成してある。
【００２６】
刈高さ調整用のコーム５を刃ブロック４の突出方向に移動自在に刃ブロック４に被せるように設けるには、例えば、下記のような構成となっている。
【００２７】
本体１は図４に示すようなもので、刃ブロック４を突出して設けた方の一端部を上にすると共に他端部を下にした場合の四側面のうち一側面に凹部１０を設け、該凹部１０に連結部材６を本体１の上下方向（本体１の長手方向）に対して移動自在に操作するための回転ダイヤル７を配置し、更に、本体１の上記一側面の回転ダイヤル７を配置した部分の外側に本体１の動作を入り切りするための動作スイッチ８を設けてある。そして、本体１の一端部の刃ブロック４を突出させた最先端部と回転ダイヤル７及び動作スイッチ８を設けた部分との間の部分が後述の刈り高さ調整用のコーム５を移動自在に被嵌するためのコーム被嵌部１４となっている。
【００２８】
上記回転ダイヤル７、動作スイッチ８を設けた本体１の一側面を正面と定義した場合、図１に示すように、正面側に刃ブロック４の櫛状の可動刃３が位置し、背面側に櫛状の固定刃２が位置している。また、本体１の中央部よりやや刃ブロック４側にずれた部分が左右の両側面間の巾寸法が小さくなった巾狭部９となっており、この巾が狭くなった巾狭部９の両側面と直交する側面である側面（正面）に回転ダイヤル７、動作スイッチ８が設けてある。
【００２９】
動作スイッチ８は図３に示すように正面視三角形状をしており、図３における上下方向に（本体１の長手方向に）スライド操作することで、スイッチ機構を切り換えて本体１内に内装したモータまたはリニアアクチュエータのような駆動手段をオン、オフして刃ブロック４の可動刃３を往復駆動したり、あるいは駆動を停止したりするようになっている（動作スイッチ８を刃ブロック４に近づく方向にスライドさせるとオンとなり、刃ブロック４から離れる方向にスライドさせるとオフとなる）。
【００３０】
回転ダイヤル７は動作スイッチ８により大部分が覆われているが、図３に示すように回転ダイヤル７の外周の一部が動作スイッチ８の背面側において動作スイッチ８の両側からやや突出しており、この回転ダイヤル７を操作することで図示を省略したラック、ピニオン等の連動機構により連結部材６を移動させるようになっており、図４の矢印実線のように回転ダイヤル７を回転操作すると矢印実線のように連結部材６が移動し、また、矢印破線のように回転ダイヤル７を回転操作すると矢印破線のように連結部材６が移動する。連結部材６には先端部に被係止部６ａを設けてあり、コーム被嵌部１４の正面側に設けた長溝１５内を連結部材６がスライドすることで先端部の被係止部６ａが長溝１５に沿ってスライドするようになっている。
【００３１】
ところで上記のように、本体１の一側面に該一側面と平行に連結部材６と連動した回転ダイヤル７を配置すると共に該本体１の一側面の回転ダイヤル７を配置した部分の外側に動作スイッチ８を重ねるように配置すると、本体１の長手方向の異なる位置に動作スイッチ８、回転ダイヤル７を設ける場合に比べて本体１長さを短くすることが可能となり、本体１のコンパクト化を図ることが可能となる。
【００３２】
コーム被嵌部１４の背面側には図４（ｃ）のようにガイド溝２２が設けてあり、このガイド溝２２の溝底部分に内外に貫通する窓部２０が設けてある。本体１のハウジングの内部には弾性部材が取付けられるものであり、該弾性部材に設けた弾性押圧用突部２１が窓部２０から外方に突出している。
【００３３】
また、本体１のコーム被嵌部１４の左右両側には本体１の長手方向に沿った被ガイドレール部２３が設けてある。
【００３４】
刈り高さ調整用のコーム５は図５乃至図８に示すようなもので、一端部が開口した筒状をしており、一端部に刃ブロック４を備えた本体１のコーム被嵌部１４に移動自在に被嵌できるようになっている。
【００３５】
上記のように一端部が開口した筒状の刈高さ調整用のコーム５を本体１のコーム被嵌部１４に被嵌した状態で、筒状をした刈り高さ調整用のコーム５の側周壁のうち可動刃３と同じ面となる側面部（つまり可動刃３と対向する側面部）を正面側の側面部５ａとすると、該正面側の側面部５ａと反対側の側面部（言いかえると固定刃２と対向する側面部）が背面側の側面部５ｂとなり、正面側の側面部５ａと背面側の側面部５ｂとの両端部間を連続する側面部が左右の側面部５ｃなり、更に開口と対向する面部（つまり、本体１の一端部における刃ブロック４の突出方向と同方向のくし部２６の先端部の面部）が先端面部５ｄとなっている。そして、正面側の側面部５ａから先端面部５ｄを経て背面側の側面部５ｂに至るように複数列の隙間を介して複数のくし部２６が設けてある。
【００３６】
上記くし部２６の可動刃３と対向する側面部である正面側の側面部５ａの部位には、上記開口付近から刃ブロック４の突出方向と同方向のくし部２６の先端部にかけてくし部２６から毛返し部２６ａが隣接するくし部２６側に向けて突出してあり、しかも、隣り合うくし部２６の毛返し部２６ａは、刃ブロック４の本体１からの突出方向及び可動刃３の摺動方向にそれぞれ略直交する方向で、刃ブロック４側を内側、コーム５の外部を外側とした場合、図８のように、内外方向に位置をずらして配置してある。
【００３７】
隣接するくし部２６の毛返し部２６ａは外部から見た場合、毛返し部２６ａの先端同士が近接するか、あるいは重複するように構成するのが切断した毛を外部に飛散させないために好ましいものであるが、上記のように、隣接するくし部２６の毛返し部２６ａを内外方向にずらして配置することで、外部から見た場合に、毛返し部２６ａの先端同士が近接させたり、あるいは重複するように構成しても、毛返し部２６ａの突出先端から隣接するくし部２６の側面までの隙間巾を毛の導入に支障がない巾だけ確保できるものである。
【００３８】
筒状のコーム５の正面側の側面部５ａの内面には係止部２７が設けてあり、筒状のコーム５を本体１のコーム被嵌部１４に被嵌した状態で係止部２７が連結部材６の被係止部６ａに係止される。また、左右の側面部５ｃの内面部にはガイドレール部２８が設けてあり、筒状のコーム５を本体１のコーム被嵌部１４に被嵌した状態で上記ガイドレール部２８がコーム被嵌部１４に設けた被ガイドレール部２３にスライド自在に嵌め込まれる。
【００３９】
また、筒状のコーム５の背面側の側面部５ｂには平板状をした受け部２９が設けてあり、この平板状をした受け部２９は背面側の側面部５ｂの内面から開口端を経て先端面部５ｄと反対方向に向けて突出しており、筒状のコーム５を本体１のコーム被嵌部１４に被嵌した状態で上記受け部２９がガイド溝２２にスライド自在に嵌め込まれると共に受け部２９に窓部２０から突出している弾性部材の弾性押圧用突部２１が弾接している。この弾性部材の弾性押圧用突部２１による受け部２９への弾性押圧方向はコーム５の移動方向に対して垂直方向（ここで本発明における垂直方向の概念の中には略垂直方向も含まれるものとする）となっており、コーム被嵌部１４に対してコーム５がスライドしたいずれの状態でも弾接している。したがって、コーム５が本体１に対して移動し易いように本体１に対して少し余裕を持たせた寸法としても、コーム５はスライド方向と垂直な方向に弾性部材により弾性的に押圧されて筒状のコーム５がコーム被嵌部１４に対してがたつくことがなくて、びびり音の発生が生じないようにできる。
【００４０】
上記のような構成の刈り高さ調整用のコーム５を移動自在に取付けたヘアカッターＡは以下のようにして使用するものである。
【００４１】
すなわち、本体１を手で把持し、回転ダイヤル７を回転してコーム５を刃ブロック４の突出方向に移動することで刈り取り高さを調整し、動作スイッチ８を操作して可動刃３をオンし、コーム５のくし部２６間の毛導入用隙間２５から導入した毛髪や髭を固定刃２と可動刃３とで切断することで、目的とする刈り高さに毛髪や髭を切断するのである。
【００４２】
ここで、コーム５のくし部２６に刃ブロック４で切断した毛が刃の切断抵抗によりコーム５の外側に飛散しようとするのであるが、前述のように、毛返し部２６ａを設け、隣り合うくし部２６の毛返し部２６ａが内外方向に位置をずらして配置してあるので、図８、図９、図１０の矢印イのように切断された毛が毛返し部２６ａに当たって、外部に飛散してこぼれ落ちようとするのが防止されることになる。この場合、隣り合うくし部２６の毛返し部２６ａが内外方向に位置をずらして配置してあるので、毛導入用隙間２５の巾を導入に支障がないように確保しながら、内外方向に位置がずれた毛返し部２６ａにより毛が外部にこぼれ落ちるのを防止できるので、毛の導入切断が支障が無いと共に、毛が外部にこぼれ落ちないようにできるのである。
【００４３】
ところで、図８に示すように、くし部２６に設けた毛返し部２６ａの外側を向いた面を毛を導入するための毛導入用傾斜面２６ｂとして、毛導入用隙間２５のうち、毛導入用傾斜面２６ｂとこれと対向する隣接するくし部２６の側面との間に形成される部分の巾を外側に行く程巾広となるように形成することができ、これにより毛返し部２６ａを内外方向にずらして配置することで、導入側の入口から出口にかけて蛇行する毛導入用隙間２５にくし部２６との摩擦抵抗を少なくして図８の矢印ロのように毛をスムーズに導入することができるものである。
【００４４】
また、図９に示すように上記毛導入用傾斜面２６ｂを凹曲面として曲面状に傾斜したものとすると、毛導入用傾斜面２６ｂの外面側における毛の導入のための体積が増えることになり、導入性が良くなるものである。
【００４５】
もちろん、本発明においては図１０のように、くし部２６に設けた毛返し部２６ａに毛導入用傾斜面２６ｂを設けないものであってもよい。
【００４６】
切断した毛が毛返し部２６ａに当たって、外部に出ないようにするに当たり、図１１に示すように、毛返し部２６ａの刃ブロック４に面する側の面を毛返し部２６ａの突出基部側程刃ブロック４から離れるように傾斜した毛返し用傾斜面２６ｃとする（毛返し用傾斜面２６ｃとくし部２６とのなす角度θが鋭角となるようにする）と、毛返し部２６ａに当たった切断された毛が毛返し部２６ａの毛返し用傾斜面２６ｃにより突出基部側にガイドされることになり、これにより毛返し部２６ａの突出先端を越えて外部に飛散し難くなって、よりいっそう切断した毛が毛導入用隙間２５から外部にこぼれ落ちるのを防止できることになる。
【００４７】
ところで、毛返し部２６ａを設けたくし部２６の本体１の一端部における刃ブロック４の突出方向と同方向のくし部２６の先端部においては、図７に示すように、毛返し部２６ａが先端側に行く程毛返し部２６ａの巾が狭くなるように正面側から見て略三角形状に形成してある。これにより本体１の一端部における刃ブロック４の突出方向と同方向のくし部２６の先端部間からの一度に導入する毛量が増加し、毛の導入性が向上するものである。
【００４８】
また、図５、図６（ａ）に示すように、本体１の一端部における刃ブロック４の突出方向と同方向のくし部２６の最先端に尖状形状の毛起こし用突部２６ｄを設けてることで、くし部２６の先端部間からの毛を導入する際に、該毛起こし用突部２６ｄにより図１２のように毛（図１２において毛をＫで示し、矢印がヘアカッターＡの移動方向を示している）を起毛して導入でき、起毛効果を得ることができるものである。
【００４９】
上記いずれの実施形態においても、図１３に示すように、毛返し部２６ａを塩化ビニールのような合成樹脂、紙、あるいはエラストマー等の薄いゴムなどの変形性を有する弾性部材により構成するようにしてもよいものである。
【００５０】
このように毛返し部２６ａを変形性を有する弾性部材により形成すると、隣接するくし部２６間の毛導入用隙間から導入された毛が弾性部材よりなる毛返し部２６ａをめくるように変形させて通過できるものであり、これにより図１３のように、隣接するくし部２６の毛返し部２６ａを外（正面）から見て重なるように配置しても図１３の破線のように弾性を有する毛返し部２６ａが変形して毛の導入ができ、より確実に毛が外部にこぼれ落ちるのを防止できるものである。
【００５１】
上記したコーム５の各実施形態において、コーム５を、図１４に示すように、コーム枠体１７と、コーム枠体１７とは別体の複数のくし部２６からなるくし部ブロック１６とで構成し、くし部ブロック１６をコーム枠体１７に超音波溶着のような溶着、接着剤、嵌合等の固着手段により固着して構成してもよい。すなわち、隣接するくし部２６の毛返し部２６ａを内外方向にずらした構成を備えたコーム５を単一の金型で一体成形する場合、隣接するくし部２６の毛返し部２６ａを内外方向にずれているためコーム５の形状が複雑となって、成形金型が複雑となり、コストが高くなる。そこで、コーム枠体１７と、くし部ブロック１６とを別々の金型で成形し、両者を固着手段で固着してコーム５を形成することにより金型を簡略化することができ、簡単な構造で製造できるものである。
【００５２】
また、本体１のコーム被嵌部１４の正面側を凹ませて図１５に示すように切断した毛を収納するための収納部１ａを設けるようにすると、切断後の毛が毛返し部２６ａに当たって、収納部１ａに蓄積されることになり、毛の収納性が良くなるものである。
【００５３】
なお、コーム５に設けた複数のくし部２６の全部又は一部をコーム枠体１７に対して着脱自在としてもよいものである。この場合、使用者の要望に応じて、毛導入用隙間２５の巾等の異なるくし部２６を取り替えて使用したり、あるいは、図１６（ａ）の状態から図１６（ｂ）のようにくし部２６の一部を取り外すことで（実施形態では一つ置きにくし部２６を取り外している）毛導入用隙間２５の巾を異ならせることができる。
【図面の簡単な説明】
【００５４】
【図１】本発明を示し、（ａ）は正面図であり、（ｂ）は左側面図であり、（ｃ）は背面図である。
【図２】同上の断面図である。
【図３】同上の同上の刈り高さ調整用のコームを移動させて刈高さを長くした状態を示し、（ａ）は正面図であり、（ｂ）は断面図である。
【図４】同上の刈り高さ調整用のコームを外した状態のヘアカッターを示し、（ａ）は正面図であり、（ｂ）は左側面図であり、（ｃ）は背面図である。
【図５】同上に用いる刈り高さ調整用のコームの前方から見た斜視図である。
【図６】（ａ）は同上に用いる刈り高さ調整用のコームの後方から見た斜視図であり、（ｂ）は刈り高さ調整用のコームの後方から見た表裏反転した斜視図である。
【図７】同上の正面図である。
【図８】同上の図７のＸ−Ｘ線の拡大断面図である。
【図９】同上に用いる刈高さ調整用のコームにおける毛返し部付きのくし部の他の実施形態の説明図である。
【図１０】同上に用いる刈高さ調整用のコームにおける毛返し部付きのくし部の更に他の実施形態の説明図である。
【図１１】同上に用いる刈高さ調整用のコームにおける毛返し部付きのくし部の更に他の実施形態の説明図である。
【図１２】同上の起毛している状態を示す説明図である。
【図１３】同上に用いる刈高さ調整用のコームにおける毛返し部付きのくし部の更に他の実施形態の説明図である。
【図１４】同上に用いる刈高さ調整用のコームの更に他の実施形態の分解正面図である。
【図１５】同上の切断した毛を収納するための収納部を設けた例を示す概略断面図である。
【図１６】（ａ）は同上に用いる刈高さ調整用のコームにおいてくし部の一部を外す前の状態の正面図であり、（ｂ）はくし部の一部を外した状態の正面図である。
【符号の説明】
【００５５】
Ａ  ヘアカッター
１  本体
２  固定刃
３  可動刃
４  刃ブロック
５  コーム
２６  くし部
２６ａ  毛返し部
２６ｂ  毛導入用傾斜面
２６ｃ  毛返し用傾斜面
２６ｄ  毛起こし用突部
【図１】
2005192616.tif 000003
【図２】
2005192616.tif 000004
【図３】
2005192616.tif 000005
【図４】
2005192616.tif 000006
【図５】
2005192616.tif 000007
【図６】
2005192616.tif 000008
【図７】
2005192616.tif 000009
【図８】
2005192616.tif 000010
【図９】
2005192616.tif 000011
【図１０】
2005192616.tif 000012
【図１１】
2005192616.tif 000013
【図１２】
2005192616.tif 000014
【図１３】
2005192616.tif 000015
【図１４】
2005192616.tif 000016
【図１５】
2005192616.tif 000017
【図１６】
2005192616.tif 000018